(57)【要約】【課題】  高い防水性を有するとともに、耐風雑音特性の良好な特に屋外用途に好適であるバウンダリーマイクロホンを提供する。【解決手段】  マイクロホンケース１が上面側が開放された扁平なベース部１０と、ベース部１０の上面を覆うようにしてベース部１０に取り付けられる多数の開口部を有するマイクカバー２０とを含み、マイクロホンケース１内にマイクユニット３１が収納されているバウンダリーマイクロホンにおいて、マイクカバー２０のベース部１０に対する接合部分２０ａを含めてマイクカバー２０の少なくとも外面の全面にわたって静電植毛によりパイル２３を植設し、かつ、パイル２３に撥水処理を施す。【選択図】  図２
2006101314.tif 000002
【特許請求の範囲】
【請求項１】
マイクロホンケースが上面側が開放された扁平なベース部と、上記ベース部の上面を覆うようにして上記ベース部に取り付けられる多数の開口部（音波導入孔）を有するマイクカバーとを含み、上記マイクロホンケース内にマイクユニットが収納されているバウンダリーマイクロホンにおいて、
上記マイクカバーの上記ベース部に対する接合部分を含めて上記マイクカバーの少なくとも外面の全面にわたって静電植毛により植設されたパイルを備え、かつ、上記パイルに撥水処理が施されていることを特徴とするバウンダリーマイクロホン。
【請求項２】
上記パイルが太さ１〜３デニールで、長さが０．５〜１．０ｍｍのナイロンパイルである請求項１に記載のバウンダリーマイクロホン。
【発明の詳細な説明】
【技術分野】
【０００１】
本発明はバウンダリーマイクロホンに関し、さらに詳しく言えば、バウンダリーマイクロホンの防水技術に関するものである。
【背景技術】
【０００２】
バウンダリーマイクロホンは、例えばＴＶスタジオや会議場などにおいて机や床面に設置して使用されることから、面上収音式マイクロホン（サーフェイスマウントマイクロホン）とも呼ばれており、その存在を目立たなくさせるため、バウンダリーマイクロホンには高さを抑えた平べったい外観を呈する扁平なマイクロホンケースが用いられている（例えば特許文献１参照）。
【０００３】
すなわち、バウンダリーマイクロホンのマイクロホンケースは、上面側が開放された扁平なベース部を備え、そのベース部にマイクユニットや回路基板などが装着され、その上から多数の開口部（音波導入孔）を有するマイクカバーが被せられる。通常、ベース部は亜鉛ダイカストなどの鋳造により形成され、マイクカバーにはパンチングプレートや硬い金属線の金網体が用いられている。
【０００４】
【特許文献１】実開平７−４３０１５号公報
【発明の開示】
【発明が解決しようとする課題】
【０００５】
バウンダリーマイクロホンは机の上や床面上に置いて使用されることから、スタンドマイクロホンや手持ち用マイクロホンなどに比べて水（例えば、コップの転倒によりこぼれた飲料水など）をかけられたり浸されることが多い。
【０００６】
マイクロホンにとって水は動作不良の原因となるため、バウンダリーマイクロホンではマイクカバーに撥水処理を施したり、マイクカバーとベース部との接合部分に撥水性を有するスポンジなどのガスケットを挟み込むようにしているが、マイクカバーは扁平で面積的に広く、しかも多数の開口部が穿設されているため、撥水処理だけでは防水効果は十分とは言えない。
【０００７】
また、バウンダリーマイクロホンはもっぱら室内で使用されていたが、最近では存在が目立たないことが評価されてセキュリティの分野での使用が検討されている。その一例として、屋外設置の防犯カメラとの併用がある。これは映像のみでなく屋外の音声を取り込むことにより、セキュリティの信頼性をより高めるとの意図によるものであるが、屋外に設置される場合には、室内用途よりも高い防水性が求められる。このほかに、風雑音対策を講ずる必要がある。
【０００８】
したがって、本発明の課題は、高い防水性を有するとともに、耐風雑音特性の良好な特に屋外用途に好適であるバウンダリーマイクロホンを提供することにある。
【課題を解決するための手段】
【０００９】
上記課題を解決するため、本発明は、マイクロホンケースが上面側が開放された扁平なベース部と、上記ベース部の上面を覆うようにして上記ベース部に取り付けられる多数の開口部（音波導入孔）を有するマイクカバーとを含み、上記マイクロホンケース内にマイクユニットが収納されているバウンダリーマイクロホンにおいて、上記マイクカバーの上記ベース部に対する接合部分を含めて上記マイクカバーの少なくとも外面の全面にわたって静電植毛により植設されたパイルを備え、かつ、上記パイルに撥水処理が施されていることを特徴としている。
【００１０】
本発明において、外観上（風合い）の観点から、上記パイルは太さ１〜３デニールで、長さが０．５〜１．０ｍｍのナイロンパイルであることが好ましい。パイル長さが１．０ｍｍを超えると、パイル同士の絡み合いが発生することがあるので好ましくない。
【発明の効果】
【００１１】
静電植毛によるパイルはマイクカバーの各部分の面に対してほぼ垂直になり、これに撥水処理を施すことにより、液滴が接する部分はパイル先端のごく小さな面積だけになるため高い防水効果が得られる。また、マイクカバーのベース部に対する接合部分にもパイルが植毛されているため、その接合部分がパイルによってシールされることになる。さらには、マイクカバーの開口部にもパイルが存在するため風雑音を低減することができる。
【発明を実施するための最良の形態】
【００１２】
次に、図１および図２により本発明の実施形態について説明するが、本発明はこれに限定されるものではない。図１は本発明のバウンダリーマイクロホンを示す断面図，図２はその分解断面図である。
【００１３】
本発明によるバウンダリーマイクロホンにおいて、マイクロホンケース１は、上面側が開放された扁平なベース部１０と、その上面を覆うようにしてベース部１０に取り付けられる多数の開口（音波導入孔）を有するマイクカバー２０とを備えている。
【００１４】
通常、ベース部１０は亜鉛ダイカストなどの鋳造により形成されるが、これ以外に金属のプレス成型品や場合によっては合成樹脂の成型品が用いられてもよい。また、マイクカバー２０には鉄製などのパンチングプレート（多孔板）が用いられるが、パンチングプレートに代えて金網体が用いられてもよく、塗装が施されていてもよい。なお、機種によってはマイクカバー２０を合成樹脂の成型品とする場合もある。
【００１５】
この例において、マイクカバー２０はベース部１０に対してネジ止めされる。ネジ止めは見栄え上（意匠上）の観点から、固定ネジ２１とベース部１０に立設されたボス１１とによる１点止めが好ましいが、多点でネジ止めしてもよい。また、場合によってはネジ止め以外の方法でマイクカバー２０をベース部１０に固定してもよい。
【００１６】
なお、ベース部１０とマイクカバー２０とが金属製である場合、マイクロホンケース１の電磁シールド性を高めるうえで、ベース部１０とマイクカバー２０との間に導電性をもつガスケット４０を介在させることが好ましい。
【００１７】
ベース部１０とマイクカバー２０とにより形成されるマイクロホンケース１の空間内に回路基板３０とマイクユニット３１とが収納される。マイクユニット３１は回路基板３０に実装された状態でマイクロホンケース１内に収納されてもよいし、回路基板３０とは別にして収納されてもよい。バウンダリーマイクロホンにおいて、通常、マイクユニット３１にはコンデンサマイクユニットが用いられる。
【００１８】
図示しないが、回路基板３０にはインピーダンス変換器や音質調整回路，出力回路などが実装されてよい。また、回路基板３０にはマイクコード３２が接続され、マイクコード３２はコードブッシュ３３を介してベース部１０から引き出される。
【００１９】
図示しないが、マイクカバー２０には音波導入孔としての多数の開口部が穿設されている。通常、開口部は丸孔でその直径は１．０〜１．５ｍｍ程度である。本発明において、マイクカバー２０には静電植毛によりパイル２３が毛羽状に植設されている。なお、マイクカバー２０が合成樹脂製でも静電植毛は可能である。
【００２０】
この例において、パイル２３はマイクカバー２０の表裏両面の全面にわたって植設されているが、少なくともマイクカバー２０の外面側にのみ設けられればよい。いずれにしても、パイル２３はマイクカバー２０のベース部１０に対する接合部分２０ａおよび開口部分にも設けられる。
【００２１】
静電植毛による場合、パイル２３はマイクカバー２０の各部分の面に対してほぼ垂直に植設される。本発明では、植設後のパイル２３に撥水処理が施される。撥水処理材としては、ＰＴＦＥ（ポリテトラフルオロエチレン）系もしくはシリコン系の撥水処理材が好ましく採用される。
【００２２】
これによれば、マイクカバー２０に降りかかった液滴はパイル２３の先端に粒状として接し大粒のものはパイル表面から転げ落ちる。また、小粒のものはパイル先端に滞留し、開口部からマイクロホンケース１内に入り込まない。
【００２３】
また、ベース部１０に対するマイクカバー２０の接合部分２０ａの隙間も撥水処理されたパイル２３によってシールされるため、その隙間からも液滴が浸入することもない。さらには、マイクカバー２０の開口部にもパイル２３が存在するため風雑音を低減することができる。
【００２４】
なお、もっぱら外観上（風合い）の観点から、パイル２３は太さ１〜３デニールで、長さが０．５〜１．０ｍｍ、特には太さが２デニールのナイロンパイルであることが好ましい。
【図面の簡単な説明】
【００２５】
【図１】本発明によるバウンダリーマイクロホンを示す断面図。
【図２】図１の分解図。
【符号の説明】
【００２６】
１  マイクロホンケース
１０  ベース部
２０  マイクカバー
２０ａ  接合部分
３０  回路基板
３１  マイクユニット
３２  マイクコード
４０  ガスケット
【図１】
2006101314.tif 000003
【図２】
2006101314.tif 000004